(57)【要約】【課題】  扱いが簡易であって、安価な保温用食器を提供する。【解決手段】  食器本体２は底部に収納凹部２ａを有するどんぶり状に形成されており、この収納凹部内には保温板３を離脱可能に収納してあり、保温板の外周面と収納凹部の内周面との間に隙間４が開けられており、食器本体２は陶磁器製であり、収納凹部２ａはその内部形状が平面円形であり、保温板３は円板状のセラミックス製であり、食器本体内の飲食用液体５であるつけ汁は加熱された保温板から放出される熱によって保温され、温度低下が抑制される。【選択図】        図１
2010023888.tif 000002
【特許請求の範囲】
【請求項１】
底部に収納凹部を形成してある陶磁器製の食器本体と、上記収納凹部内に離脱可能に収納されているセラミックス製の保温板とを備えており、
上記食器本体は上端開口の有底の容器であり、
上記保温板の形状は上記収納凹部の内部形状に対応している
ことを特徴とする保温用食器。
【請求項２】
収納凹部の内部形状は平面円形状であり、保温板は円板状であることを特徴とする請求項１記載の保温用食器。
【請求項３】
保温板は少なくとも裏面側に溝を横断状態に形成してあり、上記保温板の外周面と収納凹部の内周壁との間に全周に渡って隙間が開けられており、上記溝の両端側が上記隙間に連なっていることを特徴とする請求項１又は請求項２記載の保温用食器。
【請求項４】
収納凹部の内周壁の間隔を置いた複数個所には、上記収納凹部の内底面に達する突起状の保持台を設けてあり、各保持台上には保温板が載せられており、この保温板の外周面と上記収納凹部の内周壁との間に全周に渡って隙間が開けられており、上記保持板の裏面と上記収納凹部の内底面との間に空間が形成されており、この空間と上記隙間とが連なっていることを特徴とする請求項１又は請求項２記載の保温用食器。
【発明の詳細な説明】
【技術分野】
【０００１】
この発明は、つけ麺などに使用される保温用食器に関するものである。
【背景技術】
【０００２】
飲食店では、調理した中華ラーメンやうどんを食器（丼、鉢）に入れた状態でお客に出してしばらくすると、麺自体はもちろんつゆ又はスープ自体が冷めてしまい、本来の味を保つことができず、幾つかの工夫がされている。
例えば熱せられて石の器に茹でたラーメンや、高熱のスープを入れて、保温効果を長時間維持する方法（特開２００６−２３０３７８号公報）、つけ麺にあってはつゆ又はスープを入れた食器内に熱した自然石を入れて、つゆ又はスープの保温維持を図るなどの工夫がされている。
【特許文献１】特開２００６−２３０３７８号公報
【発明の開示】
【発明が解決しようとする課題】
【０００３】
熱せられた石の器を使用する方法は、食事前または直後に客が石の器に触れて火傷をするおそれがあることはもちろんであるが、加熱の対象となる石の器は比較的大きくて重量があるために加熱処理が面倒である。
また自然石を使用する方法は、自然石の加熱処理がし易いものの、対象となる自然石は特定の種類のものに限定され、お客が食事の最後に残りのつゆ又はスープを飲む際に、自然石が食器内で安定しないから飲みにくい。この課題を解決するために、自然石を板状に加工することが考えられるが、加工に手間と費用がかかる課題が新たに生じる。
この発明の目的は、扱いが簡易であって、安価な保温用食器を提供することにある。
【課題を解決するための手段】
【０００４】
この発明の第１の特徴は、底部に収納凹部を形成してある陶磁器製の食器本体と、上記収納凹部内に離脱可能に収納されているセラミックス製の保温板とを備えていることにある。上記食器本体は上端開口の有底の容器であり、上記保温板の形状は上記収納凹部の内部形状に対応している。
この発明の第２の特徴は、上記第１の特徴を前提とし、収納凹部の内部形状が平面円形状であり、保温板が円板状であることにある。
この発明の第３の特徴は、上記第１又は第２の特徴を前提とし、保温板が少なくとも裏面側に溝を横断状態に形成してあり、上記保温板の外周面と収納凹部の内周壁との間に全周に渡って隙間が開けられており、上記溝の両端側が上記隙間に連なっていることにある。
この発明の第４の特徴は、上記第１又は第２の特徴を前提とし、収納凹部の内周壁の間隔を置いた複数個所には、上記収納凹部の内底面に達する突起状の保持台を設けてあり、各保持台上には保温板が載せられており、この保温板の外周面と上記収納凹部の内周壁との間に全周に渡って隙間が開けられており、上記保持板の裏面と上記収納凹部の内底面との間に空間が形成されており、この空間と上記隙間とが連なっていることにある。
【発明の効果】
【０００５】
この発明によれば、保温板はセラミックス製でかつ板状のものであるから、扱いが簡易であり、量産化が可能であるので、安価な保温用食器を提供することができる。
【発明を実施するための最良の形態】
【０００６】
この発明に係る保温用食器について図１〜図４を参照して説明する。
図１及び図２に示す保温用食器１は、食器本体２とこの食器本体に出し入れ自在であるセラミックス製の保温板３とを備えている。
【０００７】
食器本体２は陶磁器からなり、図１〜図３に示すように、上端開口の有底の容器であって、図１に示す例では丼状（鉢状、碗状）に形成されている。食器本体２は内底部に収納凹部２ａを形成してある。収納凹部２ａの内部形状は平面円形状に形成されている。収納凹部２ａの内周壁２ａ１は、収納凹部２ａの外方に向けて上り勾配の傾斜面となっている。
【０００８】
セラミックス製の保温板３は食器本体２の収納凹部２ａ内に離脱可能に収納されている。保温板３は、収納凹部２ａの内部形状に対応し、図２及び図４に示す例では、円板状に形成されている。保温板３の外周面３ａは、外方に向けて上り勾配の傾斜面となっている。
保温板３は、図１に示すように収納凹部２ａ内に収納されている状態では、外周面３ａと収納凹部２ａの内周壁２ａ１との間に隙間４が開けられている。保温板３の上面は、食器本体２の内周段部２ｂと同一平面を形成している。
【０００９】
次に、保温用食器の使用方法について説明する。
食器本体２内に熱した飲食用液体５を入れてから、加熱手段によって加熱した保温板３をこの食器本体内に落とし込み、その後、図１に示すように保温板を収納凹部２ａ内に収納する。すると、保温板３から放出される熱は保温板上方の飲食用液体５に伝えられ、外気に接している飲食用液体は、時間の経過と共に次第に冷めていくが、保温板の放熱効果によって温度低下が抑制され、保温される。保温板３はセラミックス製であるから、比熱が高く冷めにくく、しかも食器本体２の内底部に位置して外気に接していないので、その放熱によって飲食用液体の保温効果を長く維持することができる。食器本体２自体が陶磁器製であるので、保温性が良く、飲食用液体の保温維持に寄与し、また熱伝導率が低い性質を有することから、飲食用液体５がかなり熱くても食器本体表面は熱くなりにくく、したがって食器本体を持つことができる。
加熱された保温板３から遠赤外線が発生し、飲食用液体５の味の向上を期待することができる。
具体的な使用例として、食器本体２をつけ麺容器、飲食用液体５をつけ汁として用いる場合には、つけ麺容器内に熱したつけ汁を入れてから、コンロ上で加熱した保温板３をこのつけ麺容器内に落とし込み、保温板を収納凹部２ａ内に収納すると、保温板からの熱はつけ汁に伝えられる。この場合、お客は冷えた麺類をつけ麺容器内のつけ汁に浸して食するが、繰り返す浸し行為によってつけ汁が徐々に冷めていくが、保温板の放熱効果によって保温されるので、冷めて行くスピードが遅くなり、食事を終えるまで保温されたつけ汁を利用することができる。
【００１０】
この発明に係る保温用食器の他の実施の形態について図５〜図７を参照して説明する。
図５及び図６に示す保温用食器１１は、図１及び図２に示す保温用食器１と実質的に同一であるが、相違点はセラミックス製の保温板１３が溝１３ｂを有するが、保温板３にはこのような溝を設けていないことである。
以下、保温用食器１１における特徴のみを説明し、その他の構成について保温用食器１と共通する構成に関しては必要に応じて説明する。そして保温用食器１１を説明するために用いる符号に関しても、共通する構成については保温用食器１の説明に用いた符号をそのまま使用している。
【００１１】
保温用食器１１の保温板１３は裏面に単一又は複数の溝１３ｂを横断状態に設けてある。図６に示す例では、３本の溝１３ｂは図上下方向に等間隔を置いて形成されている。各溝１３ｂは、図５に示すように、保温板１３の一側（図左側）の外周面１３ａから他側の外周面に達している。このため、保温板１３の外周の隙間４と各溝１３ｂとは連なっている。
【００１２】
保温用食器１１において、保温板１３は溝１３ｂを横断的にかつ隙間４と連なるように設けているので、次のような効果を期待することができる。
保温板１３の裏面の表面積が拡大されるから、放熱面が広がることによって飲食用液体５に対する保温効果が増すことである。
保温板１３の裏面側の溝１３ｂを通じて温められた飲食用液体５の熱が上昇され、食器本体２の上側の冷えつつある飲食用液体の熱は降下されることから、飲食用液体の熱が保温板の周りを対流するようになり、保温効果維持に寄与することである。
使用後に、食器本体２から保温板１３を取り出す際、保温板の裏面が収納凹部２ａの内底面に密着しにくく、保温板を取り出しやすいことである。
【００１３】
この発明に係る保温用食器のさらに他の実施の形態について図８及び図９を参照して説明する。
図８及び図９に示す保温用食器２１は、図１及び図２に示す保温用食器１と実質的に同一であるが、相違点は収納凹部２ａの内周壁に突起状の保持台２ｃを設け、セラミックス製の保温板２３の厚みを薄形していることである。
以下、保温用食器２１における特徴のみを説明し、その他の構成について保温用食器１との共通する構成に関しては必要に応じて説明する。そして保温用食器２１を説明するために用いる符号に関しても、保温用食器１と共通する構成については保温用食器１の説明に用いた符号をそのまま使用している。
【００１４】
突起状の保持台２ｃは正面Ｌ形に形成され、食器本体２の収納凹部２ａの内周壁の複数個所（図８では三個所）に間隔を置いて設けられ、収納凹部の内底面まで伸びている。保温板２３は、裏面側を保持台２ｃ上に載せられた状態で位置保持されると共に、収納凹部２ａ内に収納されている。保温板２３は、収納凹部２ａ内に収納されている状態で、裏面と収納凹部の内底面との間に所定の空間２４が開けられている。空間２４の外周側は隙間４に連なっている。このため、空間２４と隙間４とは、保温板２３上方に至る通路を形成している。２３ａは保温板２３の外周面である。
保温用食器２１は、上記構成であるから、保温板２３の裏面側の空間２４及びこの空間に連なる隙間４を通じて温められた飲食用液体の熱が保温板２３の周りを対流するようになり、保温効果の持続性が確保される。
【００１５】
食器本体２の材質は陶器、磁気の双方を含むものである。食器本体２の収納凹部２ａの内部形状及び保温板３，１３，２３の平面形状は多角形であっても良いが、内部及び平面のそれぞれの形状が円形であることによって、食器本体２内に保温板を入れる方向が制限されることはなく、どの方向から入れても保温板を円滑に収納凹部内に納めることができる。
保温用食器１１の保温板１３に設ける溝１３ｂは裏面のみに限定されず、上面に設けても良い。
保温用食器１，１１，２１は、麺類用、スープ用、つゆ用など食器本体内に入れる飲食用内容物を保温することを目的とするものに広く利用することができる。
【図面の簡単な説明】
【００１６】
【図１】この発明に係る保温用食器の実施の一形態の使用状態を示す一部切欠正面図である。
【図２】この発明に係る保温用食器の実施の一形態を示す一部切欠平面図である。
【図３】この発明に係る保温用食器を分解した状態を示す断面図である。
【図４】この発明に係る保温用食器における保温板を示す斜視図である。
【図５】この発明に係る保温用食器の実施の他の形態の使用状態を示す断面図である。
【図６】この発明に係る保温用食器の実施の他の形態を示す平面図である。
【図７】図５に示す保温用食器における保温板を示す側面図である。
【図８】この発明に係る保温用食器の実施のさらに他の形態を示す一部切欠平面図である。
【図９】図８ＩＸ−ＩＸ線断面図である。
【符号の説明】
【００１７】
１，１１，２１                      保温用食器
２                                  食器本体
２ａ                                収納凹部
２ａ１                              内周壁
２ｃ                                保持台
３，１３，２３                      保温板
３ａ，１３ａ，２３ａ                保温板の外周面
１３ｂ                              溝
４                                  隙間
５                                  飲食用液体
２４                                空間
【図１】
2010023888.tif 000003
【図２】
2010023888.tif 000004
【図３】
2010023888.tif 000005
【図４】
2010023888.tif 000006
【図５】
2010023888.tif 000007
【図６】
2010023888.tif 000008
【図７】
2010023888.tif 000009
【図８】
2010023888.tif 000010
【図９】
2010023888.tif 000011